(57)【要約】【課題】  倒れたステッキを簡単に起こし上げ、拾うことができるだけでなく、不使用時に立て掛けて置いても倒れることがなく、置き場所を選ばないステッキを提案する。【解決手段】  Ｔ字型をしたグリップ２の一方の端部２２から根元部２４にかけてリング１０が固定され、リング１０のリング面がシャフト３に対して斜めに取り付けられているステッキ１において、一方の端部２２の先端２３が前記リング面より下側に突出していることを特徴とするステッキ１。【選択図】図１
0003190552.tif 000002
【実用新案登録請求の範囲】
【請求項１】
Ｔ字型をしたグリップの一方の端部から根元部にかけてリングが固定され、該リングのリング面がシャフトに対して斜めに取り付けられているステッキにおいて、前記した一方の端部の先端が前記リング面より下側に突出していることを特徴とするステッキ。
【請求項２】
グリップ本体の表面に柔軟な素材からなる被覆部が設けられ、グリップ本体の断面形状は、グリップ上面の形状は円弧であり、底面と側面とは角張った形状となっていることを特徴とする請求項1に記載のステッキ。
【請求項３】
リングとグリップの一方の端部とが硬質プラスチックを用いて一体成型されていることを特徴とする請求項1又は２に記載のステッキ。
【請求項４】
シャフトが炭素繊維強化プラスチックにより形成されていることを特徴とする請求項1〜３のいずれか一項に記載のステッキ。
【考案の詳細な説明】
【技術分野】
【０００１】
本考案はステッキに関し、特に不使用時にどんな場所においても倒れることがなく、置き場所を選ばないステッキに関する。
【背景技術】
【０００２】
年配者や障害者など体の不自由な人たちが歩行補助具として使用するステッキに関して、本願考案者は、ステッキが倒れた時に、うつむいてステッキを拾い上げることなく、うつむかなくとも拾えるステッキを提案している（特許文献１を参照）。このステッキではグリップの一方の端部から根元部にかけて固定されたリングは、リング面がシャフトに対して斜めになっており、グリップの部分を軽く足先で押さえながら回転させると、リングの接地点が移動しながらリングが回転運動をして、シャフトが起き上がり、シャフト先端の石突き部が手元にくるようになっている。
【０００３】
一方、歩行補助具としてのステッキは、歩行中以外には、ステッキを手から離して置いておくことが多く、室内に入るときには、ステッキを玄関の壁などに立てかけたり、テーブルに着席するときには、テーブルに立てかけたりすることが多い。このような場合、立てかけられたステッキは不安定で、風や接触などの外力により倒れたり、外力がなくともステッキの立てかけた部分が壁面やテーブルエッジを滑って倒れたりすることが多い。
【０００４】
特許文献１に示される前記したステッキは、倒れたときに容易に拾えることができるものではあるが、立てかけておいたステッキが倒れたときには、周囲にいる人の邪魔になり、迷惑をかけることにもなる。そのため、どんな場所においても倒れることがなく、安定して立てかけることができるステッキへの要望も強い。
【０００５】
このような要望に応えるため、本案考案者は先に提案した前記ステッキを改良し、簡単に起こし上げ、拾うことができるだけでなく、不使用時に立て掛けて置いても倒れることがなく、置き場所を選ばないステッキを考案した。
【先行技術文献】
【特許文献】
【０００６】
【特許文献１】登録実用新案第３１６０５２６号
【考案の概要】
【考案が解決しようとする課題】
【０００７】
本考案の課題は、前記したように、倒れたステッキを簡単に起こし上げ、拾うことができるだけでなく、不使用時に立て掛けて置いても倒れることがなく、置き場所を選ばないステッキを提案することである。
【課題を解決するための手段】
【０００８】
本考案は、Ｔ字型をしたグリップの一方の端部から根元部にかけてリングが固定され、該リングのリング面がシャフトに対して斜めに取り付けられているステッキにおいて、前記の一方の端部の先端が前記リング面より下側に突出していることを特徴とするステッキである。
【０００９】
そして、グリップ本体の表面に柔軟な素材からなる被覆部が設けられ、グリップ本体の断面形状は、グリップ上面の形状は円弧であり、底面と側面とは角張った形状となっていることが好ましい。さらに、上記したステッキにおいて、リングとグリップの一方の端部とが硬質プラスチックを用いて一体成型されていることや、シャフトが炭素繊維強化プラスチックにより形成されていることが好ましい。
【考案の効果】
【００１０】
本考案のステッキは、グリップの一方の端部から根元部にかけて固定されているリングの作用により、倒れているステッキを簡単に起こし上げることができ、ステッキが倒れた時に、うつむかなくともステッキを簡単に拾えるだけでなく、さらに、リング面より下側に突出している端部の先端とリングとの作用により、不使用時に立て掛けて置いても倒れることがなく、又、テーブルの端部などに吊るすこともできるなど、置き場所を選ばないステッキとなる。
【００１１】
そして、グリップ本体の表面を柔軟な素材からなる被覆部を設け、グリップ本体の断面形状を上記の構造とすることにより、倒れたステッキをより簡単にかつ確実に起こし上げることができる。さらに、リングとグリップの一方の端部とが硬質プラスチックを用いて一体成型されている場合には、一体化した硬質プラスチックの可撓性と靱性によりグリップとリングとは強固に固定され、長い間使用し、繰り返しグリップの部分を足先で押さえて、倒れたステッキを起こし上げても、固定部分が外れることがない。また、シャフトを炭素繊維強化プラスチックにて形成した場合には、きわめて軽量であって、強度にも優れたシャフトとなるため、歩行補助具として有用となるだけでなく、ステッキの起こし上げも容易にできる。
【図面の簡単な説明】
【００１２】
【図１】本考案実施例のステッキの外観図。
【図２】本考案実施例のリングの固定構造の説明図。
【図３】本考案実施例のステッキをテーブルに立て掛けた置いた説明図。
【図４】同上説明図。
【図５】倒れたステッキを足先で押さえて起こし上げる説明図。
【図６】より簡単に起こし上げるために好ましいグリップ形状説明図。
【考案を実施するための形態】
【００１３】
本考案の実施の形態を、以下図に基づいて詳細に説明する。
【００１４】
図１に本考案実施例のステッキ１を示す。ステッキ１は、Ｔ字型のグリップ２がシャフト３の一端に取り付けられており、シャフト３の他端には石突き部４が取り付けられている。この実施例ではグリップ２がＴ字型となっており、水平部分の一方はステッキ１をしっかりと掌で掴むためのグリップ本体２１であり、他の一方の端部２２にはリング１０が固定されている。リング１０はこの端部２２と根元部２４とに固定され、リング１０のリング面はシャフト３に対して斜めに取り付けられ、グリップ本体２１を掌で掴むのに邪魔にならず、転倒したステッキを起こし上げるのに役立つようになっている。そして、端部２２の先端２３は、リング１０のリング面より下側に突出している。この突出した先端２３とリング１０との作用により、後述するようにステッキ１が倒れるのを防ぐことができ、ステッキ１は場所を選ばずに置くことが可能となる。
【００１５】
図２は、上記実施例のリングの固定構造の説明図であり、リング１０とグリップの一方の端部２２とが一体成型されている実施例である。左上方に示す図はリング１０をリング面ＢＣの直交方向から見た正面図であり、リング１０は端部２２と硬質プラスチックを用いて一体成型して製作されており、リング１０は端部２２より左右両腕状に成型され、両腕の先端には差込ピン１１が形成されている。このリング１０が固定された端部２２のステッキへの取り付け方法は下方の図に示すように、リング１０のリング面ＢＣが、シャフト３に対して斜めになるようにして、端部２２をグリップ本体２１に取り付ける。この場合、両腕状のリング１０を差込ピン１１の部分にて左右に開いて、根元部２４に設けた差込孔（図示せず）に差込ピン１１を挿入固定して取り付けた後、端部２２をグリップ本体２１に嵌め合せ、点線で示されるボルトにて締結固定する。リング１０は硬質プラスチックにて製作されており、可撓性のある素材であり、差込ピン１１の部分にて開くことができ、根元部２４に設けた差込孔への挿入を容易に行うことができる。ここにおいて、端部２２の先端２３はリング面ＢＣより下側に突出している。
【００１６】
この実施例では、Ｔ字型グリップを水平部とそれに直交する根元部とを一体化して製作しているが、Ｔ字型をしたグリップとしては、水平部を構成するグリップ本体２１に直接シャフトを接合し、接合部近辺のシャフトがグリップ本体２１に直交する根元部となっていてもよい。この場合は、リング１０はグリップの端部２２と根元部となっているシャフトとに固定されることになる。リング１０の固定は、以上のような一体成型とピンの挿入の組み合わせだけでなく、それぞれ別途に製作し、後で接着剤や固定金具で固定してもよく、さらにはグリップ本体２１と端部２２とは一体となっていてもよく、組み立て方法は特に限定されず、リング１０のリング面ＢＣがシャフト３に対して斜めに取り付けられ、先端２３がリング面ＢＣより下側に突出している構造になっておればよい。
【００１７】
リング１０を利用して、倒れたステッキを簡単に起こし上げ、拾う様子を図５に示す。図５（ａ）に示すように、倒れたステッキはシャフト３の先端に設けられた石突き部４とリング１０の点Ｆとが接地している。このステッキを起こし上げるには、（ａ）に示すようにグリップ部分を足先で軽く押さえて、矢印Ｄの方向に力を加える。その結果、リング１０は矢印Ｅの方向に回転し、接地点が点Ｆから点Ｇとなり、シャフト３が起き上がり、石突き部４が手元近くに上がってきて（ｂ）に示される状態となる。（ｂ）の状態では、リング１０は点Ｇで接地しており、シャフト３は垂直に立ち上がり、石突き部４が手元近くになっており、ステッキを簡単に拾い上げることができる。
【００１８】
図６は、倒れたステッキをさらに簡単に拾い上げるための好ましいグリップ本体２１の形態を示している。この形態では、グリップ本体２１の表面にゴム、軟質プラスチック、皮革などの柔軟な素材からなる被覆部２５を設けており、図５（ａ）に示すように足先で押さえて、グリップ部分を回転させる際に、グリップが地面や床面を滑ることなく、スムーズに回転させることができる。この場合、被覆部２５でグリップ本体２１の表面全体を必ずしも覆う必要はなく、表面を部分的に覆うことで滑り止めの効果を発揮できる。さらに、グリップ本体２１の断面ＨＫの形状を、図６の左方に示すようにグリップ上面Ｌの形状は円弧として回転し易くし、さらに角Ｐは角を取って丸く仕上げられるが、底面Ｍと側面Ｎとは角張った形状とし、足先で押さえた時、グリップを容易に回転できるようにしておくことが好ましい。
【００１９】
このように本考案のステッキは、倒れたステッキをうつむいて拾い上げる必要のないものであるが、さらに、リング面ＢＣより下側に突出している端部の先端２３とリング１０による作用効果により、不使用時の置き場所を選ぶことないステッキとなる。
【００２０】
図３及び４はこの作用効果の説明図である。図３の左図では、ステッキ１のシャフト３の長さより高い場所である高いテーブル面４０の端部に吊り下げた状態を示している。この状態では、シャフト３の先端の石突き部４は床面５０より浮き上がった状態で吊り下げられており、下側に突出しているグリップ端部２２の先端２３とテーブル面４０とが接している点Ａとリング面ＢＣとで支えられて、テーブル面４０の端部に引っ掛けられている。図３の右図では、シャフト３の長さより低い場所である低いテーブル面４１の端部に立て掛けた状態を示している。この状態では、シャフト３の先端の石突き部４は床面に接しており、テーブル面４１の端部に立て掛けられている。これらのいずれの状態でも、リング面ＢＣの作用により、吊り下げたり、立て掛けたりしたステッキが回転することなく、安定した状態で置くことができ、多少の外力を受けても倒れることがない。図４は図３の左図の状態をステッキの正面から見た説明図であり、リング１０がテーブル面４０の端部を左右の二点で押さえる状態となり、シャフト３を軸としてステッキが回転するのを防いでいる。この作用は、図３の右図のように立て掛けた場合でも同様であり、いずれも先端２３とリング１０上の二点とで合わせて三点で支えることになり安定して置くことができるステッキとなる。このようにリング１０の働きにより、置かれたステッキが回転して倒れるのを防ぐことは、ステッキを壁面に立て掛けた場合も同様であり、本考案のステッキは置き場所を選ぶことなく、安定して置くことができる。
【００２１】
本考案のステッキにおいては、リング、グリップ、シャフト、石突き部などの素材は特に限定されず、種々の素材を使用することができるが、リングやグリップの端部として硬質プラスチックを用いて一体成型することやシャフトの素材として炭素繊維強化プラスチックを用いることは好ましい形態である。硬質プラスチックとしては、ポリプロピレン、ポリ塩化ビニル、ポリカーボネート、ポリオキシメチレン、ナイロン、ＰＥＴ、ＰＢＴ、ＡＢＳ、ＡＡＳなどを例示することができる。炭素繊維強化プラスチックはカーボン、カーボン樹脂とも称される軽量であって、強度にも優れた素材であり、シャフトの素材とし好ましく用いることができる。その他素材として、木材、竹、アルミニウム、チタンなどの軽金属などもグリップやシャフトの素材として用いることができる。
【００２２】
また前記したように、グリップ本体２１の表面にゴム、軟質プラスチック、皮革などの柔軟な素材から成る被覆部２５を設けることは、グリップ本体を掌でしっかりと掴むのにも役立つ。柔軟な素材としては、天然ゴム、各種の合成ゴム、シリコーンゴム、軟質塩化ビニル、軟質ポリウレタン、天然皮革、合成皮革などを例示することができる。そして、石突き部は金属製だけでなく、スリップを防ぐためにゴムなどの弾性体とすることも有用である。
【符号の説明】
【００２３】
１  ステッキ
２  グリップ
２１  グリップ本体
２２  端部
２３  先端
２４  根元部
２５  被覆部
３  シャフト
４  石突き部
１０  リング
１１  ピン
４０、４１  テーブル面
５０  床面
ＢＣ  リング面
ＨＫ  グリップ断面
Ｌ、Ｍ、Ｎ、Ｐ  グリップ上面、底面、側面、角
【図１】
0003190552.tif 000003
【図２】
0003190552.tif 000004
【図３】
0003190552.tif 000005
【図４】
0003190552.tif 000006
【図５】
0003190552.tif 000007
【図６】
0003190552.tif 000008